(57)【特許請求の範囲】
【請求項１】
第１直線偏光光を透過させ、当該第１直線偏光光と略直交する第２直線偏光光を反射させる反射型偏光板と、
前記反射型偏光板を収容して保持する保持部材と、
前記保持部材に収容された前記反射型偏光板の平面を付勢する第１付勢部材と、を備え、
前記第１付勢部材は、
前記反射型偏光板に光束を入射させる開口部と、
前記反射型偏光板と当接するとともに、前記開口部を囲んで形成される矩形状の枠部のうち互いに対向する一の組の２辺にそれぞれ形成される当接部と、
前記一の組の２辺において、前記当接部から離れるに従い前記反射型偏光板から離れる方向に傾いて形成されるバネ部と、
前記保持部材に係合するとともに、前記枠部のうち互いに対向する他の組の２辺に形成される係合部とを有することを特徴とする反射型偏光板装置。
【請求項２】
請求項１に記載の反射型偏光板装置であって、
前記保持部材に収容された前記反射型偏光板の側面を付勢する第２付勢部材を備えることを特徴とする反射型偏光板装置。
【請求項３】
請求項１または請求項２に記載の反射型偏光板装置であって、
前記反射型偏光板は、機能面を前記保持部材の収納側に向けて収容され、
前記第１付勢部材は、前記機能面とは逆側の面を付勢することを特徴とする反射型偏光板装置。
【請求項４】
請求項２に記載の反射型偏光板装置であって、
前記第２付勢部材は、弾性部材で形成されていることを特徴とする反射型偏光板装置。
【請求項５】
請求項１〜請求項４のいずれか一項に記載の反射型偏光板装置であって、
前記開口部は、略台形形状を有していることを特徴とする反射型偏光板装置。
【請求項６】
請求項１〜請求項５のいずれか一項に記載の反射型偏光板装置であって、
前記開口部の辺部は、略直線状に形成されていることを特徴とする反射型偏光板装置。
【請求項７】
請求項３に記載の反射型偏光板装置と、
前記反射型偏光板装置を透過した前記第１直線偏光光に対し、画像情報に応じて変調して画像光を形成し、当該画像光を前記第２直線偏光光として反射させる反射型光変調装置と、
前記反射型偏光板装置を支持する第１面部と、前記反射型光変調装置を支持する第２面部と、第３面部を有する概三角柱形状の支持部材と、を備え、
前記反射型偏光板装置は、収容する前記反射型偏光板の前記機能面を前記反射型光変調装置に向けて前記第１面部に支持固定されることを特徴とする電気光学装置。
【請求項８】
請求項７に記載の電気光学装置であって、
前記反射型偏光板装置を前記支持部材の前記第１面部に対して平面方向に回動させて前記反射型光変調装置に対する前記反射型偏光板の角度を調整する調整部を備えていることを特徴とする電気光学装置。
【請求項９】
請求項８に記載の電気光学装置であって、
前記調整部は、
前記支持部材と前記保持部材とに形成され、前記保持部材を回動可能とする係合部と、
前記支持部材に前記保持部材を固定する固定部と、を備えていることを特徴とする電気光学装置。
【請求項１０】
赤色光、緑色光、及び青色光の３つの色光に対応して設けられる請求項７〜請求項９のいずれか一項に記載の電気光学装置と、
前記電気光学装置を対応する面にそれぞれ設置し、それぞれの前記電気光学装置で変調されて射出された前記画像光を合成して射出するクロスダイクロイックプリズムと、を備えることを特徴とする光学装置。
【請求項１１】
請求項１０に記載の光学装置を備えることを特徴とするプロジェクター。
【発明の詳細な説明】
【技術分野】
【０００１】
本発明は、反射型偏光板装置、電気光学装置、光学装置、及びプロジェクターに関する。
【背景技術】
【０００２】
従来、反射型光変調装置を用いたプロジェクターが知られている。このプロジェクターには、ワイヤーグリッド型の反射型偏光板を備えたものがある。
【０００３】
特許文献１には、反射型空間光変調素子と、色光照明手段と、ワイヤーグリッド偏光子と、色合成光学系と、色合成光学系の入射面に対向して近接配置されて各色光用のワイヤーグリッド偏光子が取り付けられる第１面と、各色光用の反射型空間光変調素子が位置調整機構部を介して取り付けられる第２面とを少なくとも有した各色光用の支持部材と、投射レンズと、を備え、ワイヤーグリッド偏光子は、光学ガラス基板の片面側に金属線からなるワイヤーグリッドを有し、このワイヤーグリッドが形成されていない側の面を各色光用の支持部材の第１面にワイヤーグリッド偏光子固定用バネ部材により着脱自在に固定する構成とした投射型表示装置（プロジェクター）が開示されている。
【０００４】
また、詳細には、三角柱状支持部材の第１面に設けられた矩形孔の外周２段の凹部分の深い側の３箇所の凸部にワイヤーグリッド偏光子を取り付け、浅い側とまたがって密閉部材を配置し、更に上部に、板バネ部材を設置する。３箇所の押え部分は、凸部と一致してワイヤーグリッド偏光子を垂直方向から押え固定し、枠部分で密閉部材を押え固定する。板バネ部材は、三角柱状支持部材の下面および上面に形成された爪部に矩形孔部分を引っ掛けて固定し、一定の荷重で板バネ部材の押え部分がワイヤーグリッド偏光子を押さえることが開示されている。なお、この構成により、レジストレーションずれを軽減し、安定性の高い高品位画像を得ることができるとしている。
【先行技術文献】
【特許文献】
【０００５】
【特許文献１】特開２００８−１８０８５６号公報
【発明の概要】
【発明が解決しようとする課題】
【０００６】
特許文献１では、上述したように、ワイヤーグリッド偏光子は、板バネ部材の押さえ部分により、垂直方向から一定の荷重で押さえられて固定されている。しかし、固定されたワイヤーグリッド偏光子は、衝撃（物理的衝撃や熱的衝撃を含む）や振動が加わることにより、回転し易くなる。ワイヤーグリッド偏光子（ワイヤーグリッド型の反射型偏光板）は、反射型光変調装置に対して平面方向に回転することで角度がずれた場合、コントラスト低下の重要な要因となるという課題がある。
【０００７】
また、特許文献１では、ワイヤーグリッドが形成されていない側の面を各色光用の支持部材の第１面に向け、ワイヤーグリッドが形成されている側の面をワイヤーグリッド偏光子固定用バネ部材（板バネ部材）により固定しているため、ワイヤーグリッドが形成されている面に板バネ部材が当たる構造となる。板バネ部材が、ワイヤーグリッドに当ることにより、ワイヤーグリッドに欠け等の不具合が発生し易くなる。そのため、ワイヤーグリッド偏光子（ワイヤーグリッド型の反射型偏光板）の品質低下が課題となる。また、特許文献１では、反射型空間光変調素子（反射型光変調装置）に対するワイヤーグリッド偏光子（ワイヤーグリッド型の反射型偏光板）の角度調整に関しては触れられていない。
【０００８】
従って、ワイヤーグリッド型の反射型偏光板の品質低下を防止し、衝撃や振動に対しても反射型偏光板を確実に固定でき、また、反射型光変調装置に対する反射型偏光板の角度調整が可能であり、角度調整によりコントラストを向上できる反射型偏光板装置、電気光学装置、光学装置、及びプロジェクターが要望されていた。
【課題を解決するための手段】
【０００９】
本発明は、上述した課題の少なくとも一部を解決するためになされたものであり、以下の適用例として実現することが可能である。
【００１０】
［適用例１］本適用例に係る反射型偏光板装置は、第１直線偏光光を透過させ、第１直線偏光光と略直交する第２直線偏光光を反射させる反射型偏光板と、反射型偏光板を収容して保持する保持部材と、保持部材に収容された反射型偏光板の平面を付勢する第１付勢部材と、を備え、前記第１付勢部材は、前記反射型偏光板に光束を入射させる開口部と、前記反射型偏光板と当接するとともに、前記開口部を囲んで形成される矩形状の枠部のうち互いに対向する一の組の２辺にそれぞれ形成される当接部と、前記一の組の２辺において、前記当接部から離れるに従い前記反射型偏光板から離れる方向に傾いて形成されるバネ部と、前記保持部材に係合するとともに、前記枠部のうち互いに対向する他の組の２辺に形成される係合部とを有することを特徴とする。
【００１１】
このような反射型偏光板装置によれば、第１付勢部材により、保持部材に反射型偏光板の平面を付勢することによって、反射型偏光板を保持部材に確実に固定できる。従って、衝撃や振動が加わった場合、反射型偏光板の保持部材に対する平面方向の回転を防止することができる。
【００１２】
［適用例２］上記適用例に係る反射型偏光板装置において、保持部材に収容された反射型偏光板の側面を付勢する第２付勢部材を備えることが好ましい。
【００１３】
このような反射型偏光板装置によれば、第１付勢部材により、反射型偏光板の平面を付勢するだけではなく、第２付勢部材により、反射型偏光板の側面も付勢する。したがって平面のみの付勢だけでなく側面も付勢することによって、反射型偏光板を保持部材に確実に固定できる。従って、衝撃や振動が加わった場合、反射型偏光板の保持部材に対する平面方向の回転を防止することができる。
【００１４】
［適用例３］上記適用例に係る反射型偏光板装置において、反射型偏光板は、機能面を保持部材の収納側に向けて収容され、第１付勢部材は、機能面とは逆側の面を付勢することが好ましい。
【００１５】
このような反射型偏光板装置によれば、機能面を保持部材の収納側に向けて反射型偏光板を収容し、機能面とは逆側の面を第１付勢部材が付勢することで、機能面への第１付勢部材による損傷を防止（例えば、ワイヤーグリッドの欠け等の不具合を防止）でき、反射型偏光板の品質低下を防止することができる。
【００１６】
［適用例４］上記適用例に係る反射型偏光板装置において、第２付勢部材は、弾性部材で形成されていることが好ましい。
【００１７】
このような反射型偏光板装置によれば、第２付勢部材が弾性部材で形成されることにより、第２付勢部材を容易に形成することができる。
【００２０】
［適用例５］上記適用例に係る反射型偏光板装置において、開口部は、略台形形状を有していることが好ましい。
【００２１】
このような反射型偏光板装置によれば、開口部が略台形形状を有していることにより、反射型偏光板を収容した保持部材を光束の入射方向に対して傾斜させて設置した場合にも、所定の有効領域としての台形形状の開口部に入射する光束を透過させて第１直線偏光光を適正な範囲で規制することができる。これにより、例えば、反射型偏光板装置の後段に反射型光変調装置を光束の入射方向に対して略垂直に設置した場合、反射型光変調装置の略矩形状の有効領域に光束を入射させることができる。
【００２２】
［適用例６］上記適用例に係る反射型偏光板装置において、開口部の辺部は、略直線状に形成されていることが好ましい。
【００２３】
このような反射型偏光板装置によれば、開口部の辺部は略直線状に形成され、辺部に切り欠き部や延出部等が形成されない。これにより、辺部に切り欠き部を有する場合、有効領域外となる切り欠き部から光束が入射してしまうことに対して、隙間が形成されないため、有効領域外からの光束の入射を防止できる。また、辺部に延出部を有する場合、有効領域内となる延出部により入射する光束を遮ってしまうことに対して、光量損失を防止することができる。従って、遮光性の低下を防止し、適正な光量を確保することができる。
【００２４】
［適用例７］本適用例に係る電気光学装置は、上述したいずれかの反射型偏光板装置と、反射型偏光板装置を透過した第１直線偏光光に対し、画像情報に応じて変調して画像光を形成し、画像光を第２直線偏光光として反射させる反射型光変調装置と、反射型偏光板装置を支持する第１面部と、反射型光変調装置を支持する第２面部と、第３面部を有する概三角柱の支持部材と、を備え、反射型偏光板装置は、収容する反射型偏光板の機能面を反射型光変調装置に向けて第１面部に支持固定されることを特徴とする。
【００２５】
このような電気光学装置によれば、反射型偏光板装置は、収容する反射型偏光板の機能面を反射型光変調装置に向けて第１面部に支持固定されることにより、反射型光変調装置から反射された第２直線偏光光は、反射型偏光板の機能面により直接反射させることができる。なお、機能面が反射型光変調装置に向けられていない場合には、反射型偏光板を構成するベース基板としてのガラス基板の内部を第２直線偏光光が進むことになる。その場合、ガラス基板による屈折率分の光路のズレが累積されることになる。従って、ガラス基板の屈折率による光路のズレの累積を排除することができる。
【００２６】
［適用例８］上記適用例に係る電気光学装置において、反射型偏光板装置を支持部材の第１面部に対して平面方向に回動させて反射型光変調装置に対する反射型偏光板の角度を調整する調整部を備えていることが好ましい。
【００２７】
このような電気光学装置によれば、調整部により、反射型偏光板装置を支持部材の第１面部に対して平面方向に回動させて反射型光変調装置に対する反射型偏光板の角度を調整する。これにより、反射型光変調装置に対して反射型偏光板の角度調整が可能となり、反射型光変調装置との偏光角度を最適化することができる。従って、第２直線偏光光の光量損失を抑制して反射させることができる。また、コントラストの最大値と最小値との幅を小さくすることができる。これらにより、コントラストのバラツキを抑制して、コントラストの向上を図ることができる。
【００２８】
［適用例９］上記適用例に係る電気光学装置において、調整部は、支持部材と保持部材とに形成され、保持部材を回動可能とする係合部と、支持部材に保持部材を固定する固定部と、を備えていることが好ましい。
【００２９】
このような電気光学装置によれば、支持部材に形成された係合部に保持部材に形成された係合部を沿わせて回動させ、反射型光変調装置に対する反射型偏光板の角度を調整できる。また、調整後には、固定部により支持部材に保持部材を固定できる。従って、確実に反射型偏光板の調整ができ、確実に固定することができる。
【００３０】
［適用例１０］本適用例に係る光学装置は、赤色光、緑色光、及び青色光の３つの色光に対応して設けられる上述したいずれかの電気光学装置と、電気光学装置を対応する面にそれぞれ設置し、それぞれの電気光学装置で変調されて射出された画像光を合成して射出するクロスダイクロイックプリズムと、を備えることを特徴とする。
【００３１】
このような光学装置によれば、反射型光変調装置に対して反射型偏光板の角度調整が可能な電気光学装置を、色光毎に、クロスダイクロイックプリズムの対応する面に設置して、色光毎の画像光を合成することにより、合成された画像光のコントラストを向上させることができる。また、反射型偏光板の品質低下を防止できるため、コントラストの維持を図ることができる。
【００３４】
［適用例１１］本適用例に係るプロジェクターは、上述したいずれかの光学装置を備えることを特徴とする。
【００３５】
このようなプロジェクターによれば、反射型光変調装置に対して反射型偏光板の角度調整が可能であり、また、反射型偏光板の品質低下を防止し、確実に反射型偏光板を固定できるため、投写画像のコントラストを向上させることができ、また、衝撃や振動が加わった場合でも、そのコントラストを維持することができるプロジェクターを実現できる。
【図面の簡単な説明】
【００３６】
【図１】本実施形態に係るプロジェクターの概略構成を模式的に示す図。
【図２】光学装置を示す斜視図。
【図３】Ｂ光用の電気光学装置を示す斜視図。
【図４】Ｂ光用の電気光学装置の分解斜視図。
【図５】Ｂ光用の反射型偏光板装置を示す斜視図。
【図６】Ｇ光用及びＲ光用の反射型偏光板装置を示す正面図。
【発明を実施するための形態】
【００３７】
以下、実施形態を図面に基づいて説明する。
（実施形態）
【００３８】
図１は、本実施形態に係るプロジェクター１の概略構成を模式的に示す図である。図１を参照して、プロジェクター１の光学系の構成及び動作を簡単に説明する。
本実施形態のプロジェクター１は、光源から射出された光束を画像情報に応じて変調して画像光を形成し、その画像光をスクリーン等に投写する。図１に示すように、プロジェクター１は、外装を構成する外装筺体１Ａ、光源装置３１等を有する光学ユニット３、制御部（図示省略）、光源装置３１や制御部等に電力を供給する電源装置（図示省略）、及びプロジェクター１内部を冷却する冷却ファン（図示省略）等を備えている。
【００３９】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に係る制御等を行う。
【００４０】
光学ユニット３は、制御部の制御に基づき、光源装置３１から射出された光束を光学的に処理し、画像情報に応じた画像光を形成して投写する。光学ユニット３は、光源装置３１のほか、照明光学装置３２、色分離光学装置３３、光学装置７、投写レンズ３５、及びこれらの光学部品３１，３２，３３，７，３５を光路上の所定の位置に配置する光学部品用筺体１Ｂを備える。
【００４１】
光源装置３１は、超高圧水銀ランプやメタルハライドランプ等からなる放電型の光源３１１及びリフレクター３１２等を備える。光源装置３１は、光源３１１から射出された光束をリフレクター３１２によって射出方向を揃え、照明光学装置３２に向けて射出する。
【００４２】
照明光学装置３２は、第１レンズアレイ３２１、第２レンズアレイ３２２、偏光変換素子３２３、及び重畳レンズ３２４を備える。第１レンズアレイ３２１は、マトリクス状に配列された複数の小レンズを有して構成されており、光源装置３１から射出された光束を複数の光束に分割する。第２レンズアレイ３２２は、第１レンズアレイ３２１と略同様の構成を有しており、重畳レンズ３２４と共に、光束を後述する反射型光変調装置３４２の表面に略重畳させる。偏光変換素子３２３は、第２レンズアレイ３２２から射出されたランダム偏光光を反射型光変調装置３４２で利用可能な第１直線偏光光に揃える機能を有する。なお、偏光変換素子３２３は、第１直線偏光光として、本実施形態では、色分離光学装置３３での光束の損失が少ないＳ偏光光に揃えている。
【００４３】
色分離光学装置３３は、クロスダイクロイックプリズム３３１、Ｇ光反射ダイクロイックミラー３３２、及び反射ミラー３３３，３３４を備え、照明光学装置３２から射出された光束（Ｓ偏光光）を、赤色光（以下「Ｒ光」と称す）、緑色光（以下「Ｇ光」と称す）、及び青色光（以下「Ｂ光」と称す）の３色の色光に分離する機能を有する。
【００４４】
クロスダイクロイックプリズム３３１は、Ｂ光反射ダイクロイックミラー３３１Ｂ、及びＧＲ光反射ダイクロイックミラー３３１ＧＲがＸ字状に配列されている。クロスダイクロイックプリズム３３１は、照明光学装置３２から射出された光束のうち、Ｂ光をＢ光反射ダイクロイックミラー３３１Ｂで反射し、Ｇ光及びＲ光をＧＲ光反射ダイクロイックミラー３３１ＧＲで反射して、入射する光束を分離する。
【００４５】
Ｂ光反射ダイクロイックミラー３３１Ｂで反射されたＢ光は、反射ミラー３３３により反射され、後述する電気光学装置６Ｂに射出される。一方、ＧＲ光反射ダイクロイックミラー３３１ＧＲによって反射されたＧ光及びＲ光は、反射ミラー３３４により反射された後、Ｇ光反射ダイクロイックミラー３３２に入射する。
【００４６】
Ｇ光反射ダイクロイックミラー３３２は、反射ミラー３３４により反射されたＧ光及びＲ光のうち、Ｇ光を反射し、Ｒ光を透過して入射する光束を分離する。Ｇ光反射ダイクロイックミラー３３２で反射されたＧ光は、後述する電気光学装置６Ｇに射出され、Ｇ光反射ダイクロイックミラー３３２を透過したＲ光は、後述する電気光学装置６Ｒに射出される。
【００４７】
光学装置７は、３色の色光毎に備えられた電気光学装置６（Ｒ光用の電気光学装置を６Ｒ、Ｇ光用の電気光学装置を６Ｇ、Ｂ光用の電気光学装置を６Ｂとする）、及び色合成光学装置としてのクロスダイクロイックプリズム３４４を備え、色分離光学装置３３で分離された各色光を画像情報に応じて変調し、画像光を形成する。
【００４８】
電気光学装置６は、反射型偏光板３４１、反射型光変調装置３４２、偏光板３４３、及び支持部材６０を備える。反射型偏光板３４１は、ガラス基板上にアルミニウム等からなる微細な線状リブを平行に多数配列したワイヤーグリッド型の構成となっている。反射型偏光板３４１は、線状リブの延出方向に対して垂直な偏光方向の偏光光を透過し、線状リブの延出方向に平行な偏光方向の偏光光を反射する。
【００４９】
本実施形態の反射型偏光板３４１は、偏光変換素子３２３で揃えられた第１直線偏光光（本実施形態ではＳ偏光光）を透過させ、第１直線偏光光と略直交する第２直線偏光光（本実施形態ではＰ偏光光）を反射する。なお、反射型偏光板３４１の光路前段に位相差板を配置し、反射型偏光板３４１が第２直線偏光光を透過し、第１直線偏光光を反射するように構成してもよい。
【００５０】
反射型光変調装置３４２は、反射型の高温ポリシリコンＴＦＴ液晶パネル、または、対向する基板間に液晶層が挟持された構造を有する、いわゆるＬＣＯＳ（Liquid Crystal On Silicon）で構成されている。
【００５１】
反射型光変調装置３４２は、反射型偏光板３４１を透過した第１直線偏光光である色光を変調して反射型偏光板３４１に向けて反射する。反射型光変調装置３４２で変調され、反射型偏光板３４１に向けて反射された第２直線偏光光である色光は、反射型偏光板３４１で反射される。なお、反射型光変調装置３４２は、第２直線偏光光として、本実施形態では、Ｐ偏光光に揃えている。
【００５２】
偏光板３４３は、反射型偏光板３４１で反射された第２直線偏光光を透過させる。すなわち、偏光板３４３は、反射型偏光板３４１で反射された光束に、正規の偏光光以外の偏光成分を有する偏光光が含まれた場合であっても、正規以外の偏光成分を除去し、画像のコントラスト向上に寄与する。
【００５３】
支持部材６０は、色光毎に設けられ（Ｒ光用の支持部材を６０Ｒ、Ｇ光用の支持部材を６０Ｇ、Ｂ光用の支持部材を６０Ｂとする）、反射型偏光板３４１、反射型光変調装置３４２、及び偏光板３４３を支持する。なお、反射型偏光板３４１は、後述する保持部材５０に設置されており、支持部材６０は、この保持部材５０を支持することで、反射型偏光板３４１を支持する。電気光学装置６は、位置決めされた投写レンズ３５及びクロスダイクロイックプリズム３４４に対して位置調整された後、固定される構成となっている。なお、電気光学装置６の位置調整方法に関しては、以降で説明する。
【００５４】
クロスダイクロイックプリズム３４４は、電気光学装置６で変調された各色光を合成してカラー画像を表す画像光を形成する。クロスダイクロイックプリズム３４４は、４つの直角プリズムを貼り合わせた平面視略正方形をなし、直角プリズム同士を貼り合わせた界面には、２つの誘電体多層膜が形成されている。クロスダイクロイックプリズム３４４は、誘電体多層膜が電気光学装置６Ｒ，６Ｂで変調されたＲ光、Ｂ光を反射し、電気光学装置６Ｇで変調されたＧ光を透過して、各色光を合成する。
【００５５】
投写レンズ３５は、複数のレンズを組み合わせた組レンズとして構成され、光学装置７で形成された画像光をスクリーン上に投写する。
【００５６】
図２は、光学装置７を示す斜視図であり、図２（ａ）は、光学装置７を−Ｘ方向から見た平面図であり、図２（ｂ）は、光学装置７の斜視図である。なお、以降の図において、説明の便宜上、ＸＹＺ直交座標系を用いる。詳細には、Ｇ光用の電気光学装置６Ｇから光束が射出される方向をＸ方向（＋Ｘ方向）、Ｂ光用の電気光学装置６Ｂから光束が射出される方向をＺ方向（＋Ｚ方向）、Ｘ方向及びＺ方向に直交し、図２（ａ）において図面右方向をＹ方向（＋Ｙ方向）とする。なお、＋Ｙ方向を上方向（−Ｙ方向を下方向）、＋Ｘ方向を前方向（−Ｘ方向を後方向）として、適宜使用する。
【００５７】
光学装置７は、図２に示すように、各色光に対応した３つの電気光学装置６（６Ｒ，６Ｇ，６Ｂ）と、３つの電気光学装置６を、隣接して直交する入射面にそれぞれ固定するクロスダイクロイックプリズム３４４と、クロスダイクロイックプリズム３４４を固定する固定台９とで構成される。
【００５８】
図３は、Ｂ光用の電気光学装置６Ｂを示す斜視図であり、図３（ａ）と図３（ｂ）とは、電気光学装置６Ｂの見る方向を変えた斜視図となっている。図４は、Ｂ光用の電気光学装置６Ｂの分解斜視図である。ここで、Ｒ光用の電気光学装置６Ｒ、Ｇ光用の電気光学装置６Ｇ、及びＢ光用の電気光学装置６Ｂは、略同様の構成部材により、略同一に構成されている。従って、以降では、Ｂ光用の電気光学装置６Ｂを取り上げて、電気光学装置６の構成及び動作を説明する。
【００５９】
電気光学装置６Ｂ（６）は、図３、図４に示すように、支持部材６０Ｂ（６０）と、反射型光変調装置３４２Ｂ（３４２）と、反射型偏光板装置５Ｂ（５）と、偏光板３４３とを備えて構成される。なお、反射型偏光板装置５は、色光毎に設けられており、以降、Ｒ光用の反射型偏光板装置を５Ｒ、Ｇ光用の反射型偏光板装置を５Ｇ、Ｂ光用の反射型偏光板装置を５Ｂとする。
【００６０】
支持部材６０Ｂは、概三角柱状のフレーム状に形成される。支持部材６０Ｂは、反射型偏光板３４１を支持する第１面部６１と、反射型光変調装置３４２Ｂを支持する第２面部６２と、偏光板３４３を支持する第３面部６３とを備えている。また、第１面部６１は、色分離光学装置３３によるＢ光の光軸に対して約４５°傾けて構成される。第２面部６２及び第３面部６３は、この第１面部６１を挟んで互いに略直交して構成されている。従って、支持部材６０Ｂは、概ね直角三角柱のフレーム状に形成されている。
【００６１】
なお、反射型偏光板３４１は、後述する反射型偏光板装置５Ｂとして構成されており、図４に示すように、保持部材５０Ｂを介して第１面部６１に支持固定される。なお、保持部材５０は、色光毎に設けられており、以降、Ｒ光用の保持部材を５０Ｒ、Ｇ光用の保持部材を５０Ｇ、Ｂ光用の保持部材を５０Ｂとする。
【００６２】
図５は、Ｂ光用の反射型偏光板装置５Ｂを示す斜視図であり、図５（ａ）は、反射型偏光板３４１に対して第１直線偏光光が入射する方向から見た斜視図であり、図５（ｂ）は、反射型偏光板３４１に対して入射した第１直線偏光光が透過する方向から見た斜視図である。図４、図５を参照して、反射型偏光板装置５Ｂの構成と動作に関して説明する。
【００６３】
なお、図５（ａ）に示すように、反射型偏光板装置５Ｂに対して第１直線偏光光が入射する面側を表面側５０ａとし、図５（ｂ）に示すように、第１直線偏光光が透過する面側を背面側５０ｂとして適宜使用する。また、図４、図５において、表面側５０ａに正対した場合を基準として左右方向を使用する。
【００６４】
図４に示すように、反射型偏光板装置５Ｂは、保持部材５０Ｂと反射型偏光板３４１と第１付勢部材５１と第２付勢部材５２とを備えて構成される。
【００６５】
保持部材５０Ｂは、反射型偏光板３４１を収容して保持する部材であり、反射型光変調装置３４２Ｂに対する反射型偏光板３４１の角度を調整する部材でもある。保持部材５０Ｂは、略矩形状に形成され、略中央に開口部５０１と、開口部５０１の周辺に反射型偏光板３４１を収容する外周から窪んだ凹部５０２が形成される。
【００６６】
図５（ｂ）に示すように、保持部材５０Ｂの背面側５０ｂの上下方向の外縁中央部には、第１付勢部材５１と係合する一対の係合溝部５０３が形成されている。また、図５（ａ）に示すように、保持部材５０Ｂの表面側５０ａの左右方向の外縁中央部には、一対の案内溝部５０４が形成され、後述する第１付勢部材５１の位置決め片５１４を案内する。また、凹部５０２の−Ｙ方向には、第２付勢部材５２を案内する案内突起５０５が複数形成されている。
【００６７】
また、図４に示すように、保持部材５０Ｂの＋Ｙ方向の縁部中央には、表面側５０ａに突出する円柱状の方向規制部５０６が２つ形成されている。なお、方向規制部５０６は、後述する第１付勢部材５１の向きを決める働きを行う。また、本実施形態の保持部材５０Ｂでは、２つの方向規制部５０６のうち、右側の方向規制部５０６を使用し、左側の方向規制部５０６は使用しない。なお、本実施形態では、保持部材５０Ｂはアルミニウム等の金属部材を採用しており、凹部５０２は二次加工として切削加工を行い形成している。この二次加工の工程において、使用しない側の方向規制部５０６を削除している。
【００６８】
保持部材５０Ｂの３つの角部には、反射型光変調装置３４２Ｂに対する反射型偏光板３４１の平面方向の角度を調整する調整部８が構成されている。なお、調整部８は、保持部材５０Ｂと支持部材６０Ｂとの双方に構成され、支持部材６０Ｂ（反射型光変調装置３４２Ｂ）に対して保持部材５０Ｂを回動可能とする係合部８０と、支持部材６０Ｂに保持部材５０Ｂを固定する固定部８４とを備えている。
【００６９】
保持部材５０Ｂは、調整部８を構成する係合部８０として、保持部材５０Ｂの３つの角部の外周面を構成する３つの調整用外周面部８２（第１外周面部８２Ａ、第２外周面部８２Ｂ、及び第３外周面部８２Ｃ）を備えている。なお、第１外周面部８２Ａ、第２外周面部８２Ｂ、及び第３外周面部８２Ｃは、開口部５０１の中心を基準とする同心円状に曲面で形成されている。また、第１外周面部８２Ａの上部には、上方向に突出する調整用突起８３が形成されている。調整用突起８３は、反射型偏光板３４１の角度を調整する際に把持されるものである。
【００７０】
３つの調整用外周面部８２は、支持部材６０Ｂの第１面部６１に形成される後述する係合部８０としての３つの調整用案内面部８１（第１案内面部８１Ａ、第２案内面部８１Ｂ、及び第３案内面部８１Ｃ）に案内される。また、保持部材５０Ｂは、調整部８を構成する固定部８４として、第１外周面部８２Ａ、第２外周面部８２Ｂ、及び第３外周面部８２Ｃ近傍で、開口部５０１の中心を基準とする同心円状に、それぞれ貫通する固定用長孔８５（第１長孔８５Ａ、第２長孔８５Ｂ、第３長孔８５Ｃ）を備えている。この固定用長孔８５は、反射型偏光板３４１の調整が終了した後、保持部材５０Ｂを第１面部６１へ固定する際に使用される。
【００７１】
第１付勢部材５１は、保持部材５０Ｂに収容した反射型偏光板３４１に対し、保持部材５０Ｂと協働し、平面（本実施形態では、反射型偏光板３４１の後述するガラス面３４１２）を表面側５０ａから付勢する部材である。また、第１付勢部材５１は、遮光性を有し、後述する開口部５１１外に入射する光束を遮光する部材である。第１付勢部材５１は、弾性を有する板状の金属部材を曲折して形成される。第１付勢部材５１は、略矩形状に形成されており、略中央に開口部５１１が形成される。なお、開口部５１１は、略台形形状に形成される。また、開口部５１１の各辺部は、略直線状に形成されており、辺部に切り欠き部や延出部等は形成されていない。
【００７２】
図３、図４に示すように、開口部５１１の台形形状は、いわゆる等脚台形として形成されており、図４に示すように、左右の平行となる対辺の短い辺をいわゆる上底５１１１とし、長い辺をいわゆる下底５１１２とした場合、上底５１１１が右側に位置し、下底５１１２が左側に位置する形状となる。
【００７３】
第１付勢部材５１の左右方向中央部には当接部５１２が形成され、その当接部５１２の上下方向には当接部５１２から離れるに従い表面側５０ａに傾くバネ部５１３が形成されている。また、左右の当接部５１２には、背面側５０ｂに曲折する一対の位置決め片５１４が形成される。また、第１付勢部材５１の上下方向中央部（上下のバネ部５１３の中央部）には、背面側５０ｂに曲折する一対の係合片５１５が形成される。係合片５１５の先端部には一対の引掛け部５１５ａが形成されている。また、上下方向のバネ部５１３の係合片５１５との近傍には、中央部から若干右方向に位置して（上底５１１１側に寄って）、第１付勢部材５１の保持部材５０Ｂへの固定する向きを決める孔部５１６が形成されている。
【００７４】
第２付勢部材５２は、保持部材５０Ｂに収容した反射型偏光板３４１に対し、保持部材５０Ｂと協働し、反射型偏光板３４１の側面（本実施形態では反射型偏光板３４１の後述する下面３４１３）を付勢する部材である。第２付勢部材５２は、弾性を有する板状の金属部材を曲折して形成される。第２付勢部材５２は、帯状で対称形状となる断面略Ｗ字状に形成されている。第２付勢部材５２の両端部に、反射型偏光板３４１の側面を押圧する２つのバネ部５２１が形成されている。
【００７５】
ここで、図４、図５を参照して、反射型偏光板装置５Ｂの組立てに関して説明する。
最初に、保持部材５０Ｂの案内突起５０５の突起間の溝に第２付勢部材５２を挿入して設置する。次に、保持部材５０Ｂの凹部５０２に反射型偏光板３４１を表面側５０ａから挿入する。このとき、反射型偏光板３４１の機能面３４１１（ワイヤーグリッドが形成される面）を収容側（凹部５０２）に相対させる。また、反射型偏光板３４１の下面３４１３を、第２付勢部材５２の２つのバネ部５２１に抗して、バネ部５２１を下方向に押し下げながら挿入する。
【００７６】
この挿入により、反射型偏光板３４１は、図５（ａ）に示すように、凹部５０２内において、第２付勢部材５２により、側面（下面３４１３）方向から押圧された状態で支持固定される。詳細には、反射型偏光板３４１は、第２付勢部材５２のバネ部５２１により、下面３４１３に対して垂直方向から押圧された状態で支持固定される。また、反射型偏光板３４１の機能面３４１１は、図５（ｂ）に示すように、背面側５０ｂを向き、開口部５０１から露出する。
【００７７】
次に、第１付勢部材５１を保持部材５０Ｂに設置する。第１付勢部材５１の孔部５１６に保持部材５０Ｂの方向規制部５０６を挿通し、当接部５１２を反射型偏光板３４１に当接させ、位置決め片５１４が案内溝部５０４を挟むように設置する。次に、それぞれの係合片５１５をバネ部５１３の付勢力に抗して係合溝部５０３の方向に押圧し、図５（ｂ）に示すように、引掛け部５１５ａを係合溝部５０３に引掛ける。
【００７８】
これにより、反射型偏光板３４１は、図５（ａ）に示すように、凹部５０２内において、第１付勢部材５１の当接部５１２により、機能面３４１１とは逆側の面（ガラス面３４１２）を表面側５０ａから押圧された状態で支持固定される。詳細には、反射型偏光板３４１は、第１付勢部材５１の当接部５１２により、ガラス面３４１２に対して垂直方向から押圧された状態で支持固定される。また、反射型偏光板３４１のガラス面３４１２は、表面側５０ａを向き、第１付勢部材５１の台形形状を有する開口部５１１から露出する。なお、図５（ａ）に示す図は、第１付勢部材５１の係合片５１５（引掛け部５１５ａ）が、保持部材５０の係合溝部５０３に引掛けられる前の状態を示している。
【００７９】
以上の組立てにより、反射型偏光板装置５Ｂが完成する。なお、反射型偏光板装置５Ｂにおいて、反射型偏光板３４１は、第１付勢部材５１と第２付勢部材５２とにより、平面（ガラス面３４１２）及び側面（下面３４１３）を付勢されて支持固定される。
【００８０】
次に、図３、図４を参照して、電気光学装置６Ｂの構成を説明する。
電気光学装置６Ｂを構成する支持部材６０Ｂは、前述したように、第１面部６１と第２面部６２と第３面部６３とを有し、概ね直角三角柱のフレーム状に形成されている。第１面部６１は、前述したように、反射型偏光板装置５Ｂを回動自在に支持固定する。第２面部６２は、反射型光変調装置３４２Ｂを支持固定する。また、第３面部６３は、偏光板３４３を支持固定する。
【００８１】
第１面部６１は、矩形状の開口部６１１と、開口部６１１が形成される受部６１２を有している。受部６１２の外周となる３つの角部には、反射型光変調装置３４２Ｂに対する反射型偏光板３４１の平面方向の角度を調整する調整部８が構成されている。そして、支持部材６０Ｂは、調整部８を構成する係合部８０として、３つの調整用案内面部８１（第１案内面部８１Ａ、第２案内面部８１Ｂ、及び第３案内面部８１Ｃ）を備えている。調整用案内面部８１は、保持部材５０Ｂの３つの調整用外周面部８２（第１外周面部８２Ａ、第２外周面部８２Ｂ、及び第３外周面部８２Ｃ）に対応させ、調整用外周面部８２の外周面をそれぞれ摺動可能に形成されている。
【００８２】
また、支持部材６０Ｂは、調整部８を構成する固定部８４として、第１案内面部８１Ａ、第２案内面部８１Ｂ、及び第３案内面部８１Ｃ近傍の受部６１２に、ネジ孔８７を備えている。このネジ孔８７は、反射型偏光板３４１の調整が終了した後、第１面部６１へ保持部材５０Ｂを固定する際に使用される。
【００８３】
反射型偏光板装置５Ｂを支持部材６０Ｂの第１面部６１に設置する場合は、図４に示すように、反射型偏光板装置５Ｂの保持部材５０Ｂに形成した３つの調整用外周面部８２を、第１面部６１に形成した、３つの調整用案内面部８１に対応させて、受部６１２に、保持部材５０Ｂの背面側５０ｂを当接させる。詳細には、第１案内面部８１Ａは第１外周面部８２Ａに対応させ、第２案内面部８１Ｂは第２外周面部８２Ｂに対応させ、第３案内面部８１Ｃは第３外周面部８２Ｃに対応させる。この設置により、反射型偏光板３４１の機能面３４１１は、反射型光変調装置３４２に向けて第１面部６１に支持固定される。
【００８４】
第２面部６２は、矩形状の開口部６２１と、図示省略する受部が形成されている。その受部に反射型光変調装置３４２Ｂの正面側３４２１を設置する。なお、反射型光変調装置３４２Ｂの正面側３４２１には、光束が入射し、また、射出される矩形状の有効領域となる開口部３４２２が形成されている。なお、反射型光変調装置３４２Ｂの背面側３４２３には、反射型光変調装置３４２Ｂで発生する熱を放熱するためのヒートシンク３４６が設置される。なお、反射型光変調装置３４２Ｂの側面からは、フレキシブル基板（図示省略）が延出しており、プロジェクター１の回路基板（図示省略）と接続され、反射型光変調装置３４２を駆動する画像情報が入力される。
【００８５】
第３面部６３は、図示省略する矩形状の開口部と、図示省略する受部が形成されている。その受部に偏光板３４３を設置する。詳細には、偏光板３４３は、偏光板３４３を保持及び調整可能とする保持板３４３１に固定され、この保持板３４３１を第３面部６３の受部に設置する。
【００８６】
次に、図３、図４を参照して、調整部８の調整方法を説明する。
電気光学装置６Ｂでの調整部８による調整は、反射型光変調装置３４２Ｂに対して、反射型偏光板装置５Ｂ（反射型偏光板３４１）を平面方向に回動させ、その回転角度を調整することにより行われる。また、調整部８とは別に、偏光板３４３の調整も行い、反射型光変調装置３４２Ｂに対して、平面方向に回動させ、その回転角度を調整する。この調整により、電気光学装置６Ｂから最終的に射出されるＢ光用の画像光のコントラストを向上させる。
【００８７】
電気光学装置６Ｂにおける調整部８を用いた反射型偏光板装置５Ｂの調整方法は、反射型偏光板装置５Ｂを前述したように第１面部６１に設置した後、反射型光変調装置３４２Ｂを全黒状態として、反射型偏光板装置５Ｂに、光軸方向（約４５°傾いた方向）から光束を入射させる。そして、保持部材５０Ｂの調整用突起８３を把持して第１面部６１に対して平行方向に回動する。この動作により、３つの調整用外周面部８２は、それぞれに対応する調整用案内面部８１に対して摺動して回動する。なお、調整は電気光学装置６Ｂから射出される光束が最も暗くなる角度に調整する。調整した後、固定用長孔８５に固定部８４を構成する固定ネジ８６を挿通し、第１面部６１に形成されるネジ孔８７と螺合させることにより、反射型偏光板装置５Ｂを第１面部６１に固定する。
【００８８】
なお、偏光板３４３も同様に調整する。詳細には、偏光板３４３を保持する保持板３４３１を把持して、第３面部６３に対して平行方向に回動させ、電気光学装置６Ｂから射出される光束が最も暗くなる角度に調整する。調整後は、保持板３４３１を第３面部６３に接着剤等で固定する。
【００８９】
このように組立てられ、また、調整された電気光学装置６ＢにおけるＢ光の動作に関して、図４を参照して説明する。
照明光学装置３２により、第１直線偏光光（本実施形態ではＳ偏光光）に揃えられたＢ光は、反射型偏光板装置５Ｂに入射する。詳細には、第１付勢部材５１の台形形状を有する開口部５１１から、反射型偏光板３４１の機能面３４１１とは逆側となるガラス面３４１２に入射する。
【００９０】
反射型偏光板３４１に入射したＢ光は、反射型偏光板３４１を透過する。透過したＢ光は、支持部材６０Ｂ内部を、第１面部６１から第２面部６２に進み、開口部５０１を介して、前記透過したＢ光に対して略垂直に設置される反射型光変調装置３４２Ｂに入射する。なお、この際。第１付勢部材５１の台形形状の開口部５０１に入射したＢ光は、反射型光変調装置３４２Ｂの矩形状の開口部３４２２に対応した矩形状で入射して重畳する。
【００９１】
反射型光変調装置３４２Ｂは、開口部３４２２から入射したＢ光に対して、フレキシブル基板を介して入力される画像情報に応じて変調する。変調されたＢ光は、第２直線偏光光（本実施形態ではＰ偏光光）に揃えられて、開口部３４２２を介して反射型偏光板装置５Ｂに向けて反射（射出）する。
【００９２】
反射型光変調装置３４２Ｂから射出されたＢ光は、開口部５０１を介して反射型偏光板３４１に入射する。この際、反射型偏光板３４１は、機能面３４１１が反射型光変調装置３４２Ｂに相対して設置されるため、反射型偏光板３４１に入射したＢ光は、機能面３４１１により、ガラス基板内部に入射することなく反射する。
【００９３】
機能面３４１１で反射されたＢ光は、前記反射されたＢ光に略垂直に設置される偏光板３４３に入射する。この偏光板３４３により、機能面３４１１で反射されたＢ光の中に含まれる正規以外の偏光成分が除去され、Ｐ偏光光が透過する。
以上の動作が、電気光学装置６Ｂの動作となる。
【００９４】
図６は、Ｇ光用及びＲ光用の反射型偏光板装置５（５Ｇ，５Ｒ）を示す正面図であり、図６（ａ）は、Ｇ光用の反射型偏光板装置５Ｇを示す正面図であり、図６（ｂ）はＲ光用の反射型偏光板装置５Ｒを示す正面図である。図１、図２、図６を参照して、各色光における反射型偏光板装置５（５Ｒ，５Ｇ，５Ｂ）に使用する第１付勢部材５１の設置の仕方に関して説明する。
【００９５】
Ｇ光用の反射型偏光板装置５Ｇは、図１で示す各反射型偏光板３４１（反射型偏光板装置５）の光路上の位置関係により、Ｂ光用の反射型偏光板装置５Ｂの構成と略同様となる、異なる点は、Ｂ光用の反射型光変調装置３４２Ｂに換えて、Ｇ光用の反射型光変調装置３４２Ｇを用いることである。
【００９６】
従って、Ｇ光用の反射型偏光板装置５Ｇに使用する第１付勢部材５１は、Ｂ光用の反射型偏光板装置５Ｂに使用する第１付勢部材５１と同様の方向（向き）で反射型偏光板装置５Ｇの保持部材５０Ｇに設置することになる。詳細には、図６（ａ）に示すように、開口部５１１において、正面から見て、上底５１１１が右側で、下底５１１２が左側となり、孔部５１６が中央部から右方向に位置する向きで設置する。
【００９７】
なお、反射型偏光板装置５Ｇの保持部材５０Ｇは、反射型偏光板装置５Ｂの保持部材５０Ｂと同様に構成されており、二次加工も同様に行い、その工程の中で、左側の方向規制部５０６を削除する。
【００９８】
また、Ｇ光用の電気光学装置６Ｇも、図１で示す各反射型偏光板３４１（反射型偏光板装置５）、各反射型光変調装置３４２、及び各偏光板３４３の光路上の位置関係により、Ｂ光用の電気光学装置６Ｂの構成と略同様となる。そして、Ｇ光用の電気光学装置６Ｇは、Ｂ光用の反射型偏光板装置５Ｂに換えて、Ｇ光用の反射型偏光板装置５Ｇを用い、Ｂ光用の反射型光変調装置３４２Ｂに換えて、Ｇ光用の反射型光変調装置３４２Ｇを用いることで構成される。
【００９９】
Ｒ光用の反射型偏光板装置５Ｒは、図１で示す各反射型偏光板３４１（反射型偏光板装置５）の光路上の位置関係により、Ｂ光用の反射型偏光板装置５Ｂの構成とは異なっている。異なる点は、保持部材５０Ｒが保持部材５０Ｂ（５０Ｇ）に対して左右が対称に構成されることである。また、第１付勢部材５１も左右が対称に構成されていることである。更に、Ｂ光用の反射型光変調装置３４２Ｂに換えて、Ｒ光用の反射型光変調装置３４２Ｒを用いることである。
【０１００】
なお、反射型偏光板装置５Ｂに設置する第１付勢部材５１と、左右が対称とさせるためには、面方向で１８０°回転することで対応できる。回転させた場合、図６（ｂ）に示すように、開口部５１１において、正面から見て、上底５１１１が左側で、下底５１１２が右側となり、孔部５１６が中央部から左方向に位置する向きとなる。この状態とさせた後、第１付勢部材５１を、反射型偏光板装置５Ｒの保持部材５０Ｒに設置する。
【０１０１】
なお、反射型偏光板装置５Ｒの保持部材５０Ｒは、前述したように、反射型偏光板装置５Ｂの保持部材５０Ｂに対して左右が対称に構成されるため、保持部材５０Ｒの二次加工を行う場合、Ｂ光用の保持部材５０Ｂの二次加工を行う場合に削除される一方の方向規制部５０６とは異なる他方の方向規制部５０６を削除することになる。詳細には、Ｒ光用の保持部材５０Ｒにおいては、右側の方向規制部５０６を削除する。
【０１０２】
また、Ｒ光用の電気光学装置６Ｒも、図１で示す各反射型偏光板３４１（反射型偏光板装置５）、各反射型光変調装置３４２、及び各偏光板３４３の光路上の位置関係により、Ｂ光用の電気光学装置６Ｂの構成と若干異なる。Ｒ光用の電気光学装置６Ｒは、図２（ａ）に示すように、Ｂ光用の電気光学装置６Ｂに対して、ＸＹ平面に略対称となる配置関係となるように構成されている。そして、Ｒ光用の電気光学装置６Ｒは、Ｂ光用の反射型偏光板装置５Ｂに換えて、Ｒ光用の反射型偏光板装置５Ｒを用い、Ｂ光用の反射型光変調装置３４２Ｂに換えて、Ｒ光用の反射型光変調装置３４２Ｒを用いることで構成される。
【０１０３】
本実施形態の第１付勢部材５１は、光路上の位置関係により、面方向に１８０°回転させることにより共通に使用している。言い換えると、各色光用の反射型偏光板装置５に用いられる第１付勢部材５１は、同一形状に形成されており、１種類の形状で形成される第１付勢部材５１を用いている。
【０１０４】
そして、各色光の反射型偏光板装置５において、保持部材５０に第１付勢部材５１を設置する場合には、孔位置が中央部から上底５１１１側に寄って形成される孔部５１６を設けることにより、保持部材５０の二次加工で削除されない１つの方向規制部５０６を挿通させるように設置する。これにより、第１付勢部材５１の各保持部材５０（５０Ｒ，５０Ｇ，５０Ｂ）への組立て間違いを排除している。
【０１０５】
なお、Ｒ光用及びＧ光用の反射型偏光板装置５（５Ｒ，５Ｇ）は、Ｂ光用の反射型偏光板装置５Ｂと同様に組立てる。また、Ｒ光用及びＧ光用の電気光学装置６（６Ｒ，６Ｇ）も、Ｂ光用の電気光学装置６Ｂと同様に組立てる。また、反射型光変調装置３４２Ｒ，３４２Ｂに対するそれぞれの反射型偏光板３４１及び偏光板３４３の調整も、反射型光変調装置３４２Ｂに対する反射型偏光板３４１及び偏光板３４３の調整と同様に行う。
【０１０６】
ここで、光学装置７の組み立て及び調整に関して説明する。
前述したように組立てられ調整された各色光用の電気光学装置６（６Ｒ，６Ｇ，６Ｂ）は、クロスダイクロイックプリズム３４４の入射面（図示省略）に対して、各色光用の電気光学装置６の偏光板３４３を相対させて仮設置する。そして、クロスダイクロイックプリズム３４４から射出される合成された画像光の画素位置調整を行う。詳細には、例えば、Ｇ光用の電気光学装置６Ｇを基準として、Ｒ光用の電気光学装置６Ｒと、Ｂ光用の電気光学装置６Ｂとを６軸方向で順次調整することにより、対応する３つの色光の画素が一致するように、画像光の画素位置調整を行う。
【０１０７】
その後、クロスダイクロイックプリズム３４４の３方向の入射面に、各色光用の電気光学装置６を調整された位置で、接着剤等を用いて固定する。これにより、図２に示すように、光学装置７が完成する。なお、各色光用の電気光学装置６を調整する際、支持部材６０の上部に形成される突起部６４を把持して行う。
【０１０８】
上述した実施形態によれば、以下の効果が得られる。
本実施形態の反射型偏光板装置５は、反射型偏光板３４１、保持部材５０、第１付勢部材５１、及び第２付勢部材５２を備え、第１付勢部材５１により、反射型偏光板３４１の平面となるガラス面３４１２を付勢するだけではなく、第２付勢部材５２により、反射型偏光板３４１の側面となる下面３４１３も付勢する。従来は、平面への付勢のみであったことに比較して、側面も付勢することにより、反射型偏光板３４１を保持部材５０に確実に固定できる。従って、衝撃や振動が加わった場合、反射型偏光板３４１の保持部材５０に対する平面方向の回転を防止することができる。
【０１０９】
本実施形態の反射型偏光板装置５は、反射型偏光板３４１の機能面３４１１を保持部材５０の収納側（凹部５０２）に向けて収容し、機能面３４１１とは逆側の面となるガラス面３４１２を第１付勢部材５１が付勢することで、機能面３４１１への第１付勢部材５１による損傷を防止（例えば、ワイヤーグリッドの欠け等の不具合を防止）でき、反射型偏光板３４１の品質低下を防止することができる。
【０１１０】
本実施形態の反射型偏光板装置５は、反射型偏光板３４１の横方向となる側面（下面３４１３）を付勢することにより、保持部材５０内での反射型偏光板３４１の縦方向のズレを抑制できる。これにより、反射型偏光板３４１の保持部材５０に対する平面方向の回転を防止することができる。
【０１１１】
本実施形態の反射型偏光板装置５は、第２付勢部材５２が弾性部材として板状の金属部材で形成されている。これにより、第２付勢部材５２を容易に形成することができる。
【０１１２】
本実施形態の反射型偏光板装置５において、第１付勢部材５１は、遮光性を有すると共に、所定の有効領域を確保する開口部５１１を有している。これにより、第１付勢部材５１は、所定の有効領域内に入射する光束を透過し、有効領域外に入射する光束を遮光することにより、透過する第１直線偏光光を適正な範囲で規制することができる。これにより、このような反射型偏光板装置５の後段に、反射型光変調装置３４２を設置した場合、反射型光変調装置３４２の有効領域（開口部３４２２）に対応させて第１付勢部材５１の有効領域を設定することにより、第１直線偏光光を反射型光変調装置３４２の有効領域に適切に入射させることができる。これにより、このような反射型偏光板装置５をプロジェクター１に使用することにより、コントラスト向上を図ることができる。
【０１１３】
本実施形態の反射型偏光板装置５において、第１付勢部材５１の開口部５１１は、略台形形状を有していることにより、反射型偏光板３４１を収容した保持部材５０を光束の入射方向に対して傾斜させて設置した場合にも、所定の有効領域としての台形形状の開口部５１１に入射する光束を透過させて第１直線偏光光を適正な範囲で規制することができる。これにより、例えば、反射型偏光板装置５の後段に反射型光変調装置３４２を光束の入射方向に対して略垂直に設置した場合、反射型光変調装置３４２の略矩形状の有効領域（開口部３４２２）に光束を入射させることができる。
【０１１４】
本実施形態の反射型偏光板装置５において、第１付勢部材５１の開口部５１１の辺部は略直線状に形成され、辺部に切り欠き部や延出部等が形成されない。これにより、辺部に切り欠き部を有する場合、有効領域外となる切り欠き部から光束が入射してしまうことに対して、隙間が形成されないため、有効領域外からの光束の入射を防止できる。また、辺部に延出部を有する場合、有効領域内となる延出部により入射する光束を遮ってしまうことに対して、光量損失を防止することができる。従って、遮光性の低下を防止し、適正な光量を確保することができる。
【０１１５】
本実施形態の電気光学装置６において、反射型偏光板装置５は、収容する反射型偏光板３４１の機能面３４１１を反射型光変調装置３４２に向けて第１面部６１に支持固定される。これにより、反射型光変調装置３４２から反射された第２直線偏光光は、反射型偏光板３４１の機能面３４１１により直接反射させることができる。なお、機能面３４１１が反射型光変調装置３４２に向けられていない場合には、反射型偏光板３４１を構成するガラス基板の内部を第２直線偏光光が進むことになる。その場合、ガラス基板による屈折率分の光路のズレが累積されることになる。従って、ガラス基板の屈折率による光路のズレの累積を排除することができる。
【０１１６】
本実施形態の電気光学装置６は、調整部８（係合部８０）により、反射型偏光板装置５を支持部材６０の第１面部６１に対して平面方向に回動させて反射型光変調装置３４２に対する反射型偏光板３４１の角度を調整する。これにより、反射型光変調装置３４２に対して反射型偏光板３４１の角度調整が可能となり、反射型光変調装置３４２との偏光角度を最適化することができる。従って、第２直線偏光光の光量損失を抑制して反射させることができる。また、コントラストの最大値と最小値との幅を小さくすることができる。これらにより、コントラストのバラツキを抑制して、コントラストの向上を図ることができる。
【０１１７】
本実施形態の電気光学装置６は、調整部８により、支持部材６０の第１面部６１に形成された係合部８０（調整用案内面部８１）に、保持部材５０に形成された係合部８０（調整用外周面部８２）を沿わせて回動させ、反射型光変調装置３４２に対する反射型偏光板３４１の角度を調整できる。また、調整後には、保持部材５０に形成された固定部８４（固定用長孔８５）に、固定部８４を構成する固定ネジ８６を挿通し、支持部材６０に形成された固定部８４（ネジ孔８７）に螺合することにより、保持部材５０を支持部材６０に固定できる。従って、確実に反射型偏光板３４１の調整ができ、確実に固定することができる。
【０１１８】
本実施形態の光学装置７は、反射型光変調装置３４２に対して反射型偏光板３４１の角度調整が可能な電気光学装置６を、色光毎に、クロスダイクロイックプリズム３４４の対応する面に設置して、色光毎の画像光を合成することにより、合成された画像光のコントラストを向上させることができる。また、反射型偏光板３４１の品質低下を防止できるため、コントラストの維持を図ることができる。
【０１１９】
本実施形態の光学装置７は、第１付勢部材５１において、略台形形状を有する開口部５１１の向きは、それぞれの反射型偏光板装置５で異なっている（本実施形態では、Ｇ光用及びＢ光用と、Ｒ光用とが異なる向きとなる）。しかし、第１付勢部材５１を共通の形状（同一形状）で対応することにより、本実施形態では、第１付勢部材５１を、平面に対して１８０°回転した形態にすることで各保持部材５０（５０Ｒ，５０Ｇ，５０Ｂ）に設置することができる。これにより、第１付勢部材５１が色光毎に異なる形状を有する場合に比較して、第１付勢部材５１の金型代等のコストを削減することができる。
【０１２０】
本実施形態のプロジェクター１は、反射型光変調装置３４２に対して反射型偏光板３４１の角度調整が可能であり、また、反射型偏光板３４１の品質低下を防止し、確実に反射型偏光板３４１を固定できるため、投写画像のコントラストを向上させることができ、また、衝撃や振動が加わった場合でも、そのコントラストを維持することができる。
【０１２１】
なお、上述した実施形態に限定されず、その要旨を逸脱しない範囲において種々の変更や改良等を加えて実施することが可能である。変形例を以下に述べる。
【０１２２】
前記実施形態の反射型偏光板装置５において、第２付勢部材５２は、反射型偏光板３４１の横方向となる側面（下面３４１３）を付勢することにより、保持部材５０内での反射型偏光板３４１の縦方向のズレを抑制している。しかし、これに限定されず、反射型偏光板３４１の縦方向となる側面を付勢することにより、反射型偏光板３４１の横方向のズレを抑制してもよい。また、反射型偏光板３４１の横方向と縦方向の両方向となる側面を付勢することにより、反射型偏光板３４１の縦方向と横方向の両方のズレを抑制してもよい。
【０１２３】
前記実施形態の反射型偏光板装置５において、第２付勢部材５２は弾性部材としての金属部材で形成されている。しかし、これに限定されず、第２付勢部材５２は弾性部材で形成されていればよく、弾性を有する合成樹脂部材で構成されていてもよい。
【０１２４】
前記実施形態の反射型偏光板装置５において、第１付勢部材５１と第２付勢部材５２とは別体で構成されている。しかし、これに限定されず、第１付勢部材５１と第２付勢部材５２とは、一体に構成されて、反射型偏光板３４１の平面と側面とを付勢することでもよい。
【０１２５】
前記実施形態の電気光学装置６において、調整部８は、支持部材６０の第１面部６１に形成された係合部８０（調整用案内面部８１）に、保持部材５０の外周面（調整用外周面部８２）を沿わせて回動させ、反射型光変調装置３４２に対する反射型偏光板３４１の角度を調整している。しかし、これに限られず、例えば、保持部材５０に有する固定用長孔８５に、固定ネジ８６を挿通し、支持部材６０のネジ孔８７に仮止めした後、固定ネジ８６を基準にして、保持部材５０を支持部材６０に対して回動することにより、反射型光変調装置３４２に対する反射型偏光板３４１の角度調整を行うことでもよい。
【０１２６】
前記実施形態の電気光学装置６において、保持部材５０の開口部５０１は、台形形状でもよい。
【０１２７】
前記実施形態の電気光学装置６において、保持部材５０に形成される係合部８０は、保持部材５０の角部の外周面を使用している。しかし、これに限られず、保持部材５０の開口部５０１と外形（外周）とに挟まれる領域内に係合部を設置することでもよい。
【０１２８】
前記実施形態では、反射型偏光板装置５として、反射型偏光板３４１を収容する保持部材５０と、反射型偏光板３４１の平面を付勢する第１付勢部材５１と、反射型偏光板３４１の側面を付勢する第２付勢部材５２と、を備える構成を説明した。しかし、これに限られず、反射型偏光板３４１の代わりに偏光板３４３等を含む反射型ではない偏光板に対して適用しても良い。その場合、偏光板装置として、偏光板（例えば偏光板３４３）を収容する保持部材と、偏光板の平面を付勢する第１付勢部材と、偏光板の側面を付勢する第２付勢部材と、を備える構成としてもよい。また、偏光板がガラス基板に設置されている場合には、第１付勢部材は、機能面側（この場合、偏光板側）とは逆側の面（この場合、ガラス面）を付勢する構成とすることがよい。そして、調整部（例えば前記実施形態の調整部８と同等）を用いて、偏光板を平面方向に回転させて、反射型光変調装置（例えば反射型光変調装置３４２）に対する偏光板の角度を調整することでもよい。この構成により、偏光板の品質低下を防止し、衝撃や振動に対しても偏光板を確実に固定でき、また、反射型光変調装置に対する偏光板の角度調整によりコントラストを向上させることができる。
【０１２９】
前記実施形態のプロジェクター１の光学系は、Ｒ光、Ｇ光、及びＢ光に対応する３つの反射型光変調装置３４２Ｒ，３４２Ｇ，３４２Ｂを用いるいわゆる３板方式を採用しているが、これに限らず、単板方式を採用してもよい。単板方式の反射型光変調装置に本実施形態の反射型偏光板装置５及び電気光学装置６を用いた場合には、投写画像の部分的なフォーカスずれを抑制することができる。
【０１３０】
前記実施形態のプロジェクター１の光学系において、光源装置３１は、超高圧水銀ランプやメタルハライドランプ等からなる放電型の光源３１１及びリフレクター３１２等を備えている。しかし、これに限られず、光学装置は、レーザーダイオード、ＬＥＤ（Light Emitting Diode）、有機ＥＬ（Electro Luminescence）素子、シリコン発光素子等の各種固体発光素子を採用してもよい。
【符号の説明】
【０１３１】
１…プロジェクター、５…反射型偏光板装置、６…電気光学装置、７…光学装置、８…調整部、５０…保持部材、５１…第１付勢部材、５２…第２付勢部材、６０…支持部材、６１…第１面部、６２…第２面部、８０…係合部、８１…調整用案内面部、８２…調整用外周面部、８４…固定部、８５…固定用長孔、８６…固定ネジ、３４１…反射型偏光板、３４２…反射型光変調装置、３４４…クロスダイクロイックプリズム、５０６…方向規制部、５１１…開口部、５１６…孔部、３４１１…機能面、３４１２…ガラス面、３４１３…下面。
【図１】
0006020673.tif 000002
【図２】
0006020673.tif 000003
【図３】
0006020673.tif 000004
【図４】
0006020673.tif 000005
【図５】
0006020673.tif 000006
【図６】
0006020673.tif 000007